(57)【要約】【課題】複数のシップ薬を収納保持できるとともに、シップ薬を所望の部位に確実に貼り付けることができる、シップ薬貼り付け補助具を提供する。【解決手段】剥離紙１０を備えるシップ薬３を収納できるとともに、このシップ薬を患部に貼着するためのシップ貼り補助具であって、複数のシップ薬３を収納できるとともに、一側に開口部６を有する収納容器２と、上記開口部を封止できる封止手段７ａ，７ｂと、上記収納容器の上記開口部側の外側縁部に設けられ、一部が引き出された上記シップ薬の剥離紙端部を剥がして折り返し止着できる止着手段９とを備え、剥離紙が除去された上記シップ薬の一部を患部に貼り付けた状態で、上記収納容器を患部に沿って牽引移動させることにより、上記剥離紙を剥離させながら上記シップ薬を患部に貼着できるように構成した。【選択図】図６
2008104542.tif 000002
【特許請求の範囲】
【請求項１】
剥離紙を備えるシップ薬を収納できるとともに、このシップ薬を患部に貼着するためのシップ薬貼り付け補助具であって、
複数のシップ薬を収納できるとともに、一側に開口部を有する収納容器と、
上記開口部を封止できる封止手段と、
上記収納容器の上記開口部側の外側縁部に設けられ、一部が引き出された上記シップ薬の剥離紙端部を折り返し止着できる止着手段とを備え、
剥離紙が除去された上記シップ薬の一部を患部に貼り付けた状態で、上記収納容器を患部に沿って移動させることにより、上記剥離紙を剥離させながら上記シップ薬を患部に貼着できるように構成した、シップ薬貼り付け補助具。
【請求項２】
上記収納容器が、シップ薬を収納する包装袋又は包装箱である、請求項１に記載のシップ薬貼り付け補助具。
【請求項３】
上記止着手段は、収納容器の外面に、両面粘着テープを貼着し、又は粘着剤を塗布して形成されている、請求項１又は請求項２のいずれかに記載のシップ薬貼り付け補助具。
【請求項４】
上記止着手段は、上記収納容器に一体的又は着脱可能に設けられるとともに、シップ薬から剥がされた上記剥離紙の端部を挟持又は掛止できるように構成されている、請求項１又は請求項２のいずれかに記載のシップ薬貼り付け補助具。
【請求項５】
シップ貼着後に、上記止着手段によって止着された剥離紙端部と反対側を保持できる剥離紙保持手段を備える、請求項３に記載のシップ薬貼り付け補助具。
【請求項６】
上記収納容器の上記開口部を設けた側と反対側に、上記収納容器を移動操作できる操作部を設けた、請求項１から請求項５のいずれかに記載のシップ薬貼り付け補助具。
【請求項７】
上記操作部が上記収納容器と一体的に形成されている、請求項６に記載のシップ薬貼り付け補助具。
【請求項８】
上記操作部は、上記包装容器に着脱可能に装着されている、請求項６に記載のシップ薬貼り付け補助具。
【請求項９】
上記包装容器の表面に添着されるとともに、シップ薬の貼着時に上記包装容器又は／及びシップ薬をバックアップするバックアップ部を備えて構成されている、請求項１から請求項８に記載のシップ薬貼り付け補助具。
【請求項１０】
上記収納容器の上記開口部側から延出するとともに、上記操作部と共働して上記収納容器を保持し、及び移動操作できる補助操作部を設けた請求項６から請求項９のいずれかに記載のシップ薬貼り付け補助具。
【請求項１１】
上記補助操作部を、上記収納容器又は上記包装容器に対して着脱可能に設けた、請求項１０に記載のシップ薬貼り付け補助具。
【請求項１２】
包装容器に収容されるとともに剥離紙を備えるシップ薬の貼着方法であって、
上記包装容器の開口部から一のシップ薬の縁部を引き出し、
引き出されたシップ薬を剥離紙とともに又は上記シップ薬の端部から剥離された剥離紙を、上記包装容器の開口縁部に沿って折り返すとともに、上記包装容器の縁部外側に設けた止着手段に止着し、
剥離紙を剥離させた上記シップ薬の縁部を患部に貼着し、
上記包装容器を移動操作することにより、上記剥離紙を剥離させるとともに上記シップ薬を患部に貼着する、シップ薬の貼着方法。
【請求項１３】
複数のシップ薬を収納できる内部空間と、
上記内部空間から上記シップ薬を取り出せる開口部と、
上記開口部に設けた封止手段と、
上記開口部の外側縁部に設けられ、上記開口部から一部が引き出されたシップ薬の剥離紙を折り返し止着できる止着手段とを備える、シップ薬包装容器。
【請求項１４】
上記開口部と反対側の縁部から延出する操作部を備える、請求項１３に記載のシップ薬包装容器。
【発明の詳細な説明】
【技術分野】
【０００１】
本願発明は、シップ薬貼り付け補助具及びシップ薬の貼着方法等に関する。詳しくは、背中等の手の届かない患部に、シップ薬を容易に貼り付けることができるシップ薬貼り付け補助具等に関する。
【背景技術】
【０００２】
シップ薬を背中等の手の届かない患部に貼り付けるために種々の補助具が考案されている。
【０００３】
【特許文献１】特開２００１−３４０４７０
【特許文献２】特開２００４−１８８１４５
【０００４】
上記特許文献１に記載されている器具は、湾曲した把手の先端部に平板を設け、この平板にシップ薬を保持させ、上記把手を操作して背中等の患部にシップ薬を貼着できるように構成されている。
【０００５】
上記特許文献２に記載されている器具は、先端部にシップ薬を挟んで保持できるとともに剥離紙を掴むことのできる器具を設けたへら状の先端部と、この先端部から延出する長尺状の柄部とを備えて構成されている。上記柄を操作して上記先端部に保持したシップ薬を手の届かない患部にあてて、肌に沿って引くことにより剥離紙を剥がしてシップ薬を貼り付けることができるように構成されている。
【発明の開示】
【発明が解決しようとする課題】
【０００６】
上記特許文献１に記載されている器具では、把手が湾曲した形状に設定されているため、シップ薬を貼り付けることができる患部が限られる。また、シップ薬を保持した部分を背中等の目の届かない部位に正確に位置させるのは極めて困難である。しかも、シップ薬は剥離紙が完全に除去された状態で保持されて、一度にシップ薬全面が貼着されるため、シップ薬が一旦皮膚に接触すると位置を変更するのは困難である。したがって、貼り付けに失敗することも多い。
【０００７】
上記特許文献２に記載されている器具は、剥離紙を剥がしながらシップ薬を貼着することができるため失敗は少ないと思われる。しかしながら、一枚の湿布薬を包装容器（袋）から取り出して、器具に装着しなければならない。このため、作業性が良いとはいえない。
【０００８】
また、シップ薬を保持するへら及び手指で握持する柄部が固定状に形成されているため、シップ薬を貼り付けることができる患部が限られるのは、特許文献１と同様である。
【０００９】
しかも、シップ薬をヘラ状の部分に載置して、アームで挟持するように構成されているが、シップ薬は、薄いシート状であるとともに柔軟性があるため、上記公報に記載されているようなアームで挟持したのみでは、へらの上に位置決め保持することは困難である。このため、所望の貼着部位に位置決めするのが困難になる。また、操作に熟練を要するばかりでなく、高齢者が取り扱うのは困難である。また、特許文献１に記載した発明と同様に、適用できる患部も限られる。
【００１０】
本願発明は、上述の課題を解決するために案出されたものであって、上記従来の問題を解決し、複数のシップ薬を収納保持できるとともに、シップ薬を所望の部位に確実に貼り付けることができる、シップ薬貼り付け補助具を提供するものである。
【課題を解決するための手段】
【００１１】
本願の請求項１に記載した発明は、剥離紙を備えるシップ薬を収納できるとともに、このシップ薬を患部に貼着するためのシップ薬貼り付け補助具であって、複数のシップ薬を収納できるとともに、一側に開口部を有する収納容器と、上記開口部を封止できる封止手段と、上記収納容器の上記開口部側の外側縁部に設けられ、一部が引き出された上記シップ薬の剥離紙端部を折り返し止着できる止着手段とを備え、剥離紙が除去された上記シップ薬の一部を患部に貼り付けた状態で、上記収納容器を患部に沿って移動させることにより、上記剥離紙を剥離させながら上記シップ薬を患部に貼着できるように構成したものである。
【００１２】
本願発明は、シップ薬を収納する収納容器を、シップ薬貼り付け補助具として利用するものである。上記収納容器は、複数のシップ薬を収納できるものであればよく、たとえば、シップ薬を包装して販売する包装袋を利用して構成することができる。また、専用の収納容器を形成してもよい。収納容器の形態も特に限定されることはなく、袋状のものや箱状のものを採用することができる。
【００１３】
上記収納容器は、一側にシップ薬を取り出せる開口部が設けられている。上記開口部は、複数のシップ薬のうち一のシップ薬を取り出すことができれば良い。本願発明に用いるシップ薬には剥離紙が貼着されている。このため、各シップ薬間の摩擦が小さく、積層された複数のシップ薬から一のシップ薬を容易に引き出すことができる。
【００１４】
請求項２に記載した発明のように、上記収納容器として、シップ薬の包装袋又は包装箱をそのまま利用することができる。
【００１５】
上記封止手段は、上記開口部を封止してシップ薬を保存するために設けられる。たとえば、袋状の収納容器を用いる場合には、対向する開口部内側の縁部に、互いに噛合する弾性凸条と弾性凹条とを設けることができる。
【００１６】
上記止着手段として種々の構成を採用できる。請求項３に記載した発明のように、上記収納容器の外面に、両面粘着テープを貼着し、又は粘着剤を塗布して形成することができる。使用時には、上記両面粘着テープの一側に設けた剥離紙を剥がすとともに、シップ薬の上記剥離紙の端部を剥がして、折り返し状に上記両面テープに貼着し、あるいは、シップ薬に貼着されたままの剥離紙外面を折り返し状に上記両面テープに貼着する。
【００１７】
そして、上記剥離紙を剥がしてシップ薬の端部を患部に貼着し、あるいは剥離紙とともに折り返し止着されたままで患部にあてがう。この状態で、上記収納容器を上記シップ薬が引き出される方向に移動させると、シップ薬が引き出されるとともに剥離紙が剥がされていき、シップ面が患部に貼着される。
【００１８】
また、シップ薬を剥離紙とともに折り返し止着された状態で患部にあてがう場合は、まず、シップ端縁が剥離紙から剥がされながら患部に貼着されていく。このようにしてシップ薬を貼着すると、剥離紙を剥がす際にシップ薬が手指に付着するともなくなる。しかも、シップ薬の端部を剥離紙とともに確実に保持した状態で貼着を開始できるため、作業性が良いばかりでなく、失敗も少なくなる。
【００１９】
また、請求項４に記載した発明のように、上記止着手段は、上記収納容器に一体的又は着脱可能に設けられるとともに、シップ薬から剥がされた上記剥離紙の端部を挟持又は掛止できるように構成することができる
【００２０】
請求項５に記載した発明は、シップ貼着後に、上記止着手段によって止着された剥離紙端部と反対側を保持できる剥離紙保持手段を備えるものである。
【００２１】
上記剥離紙の一側は、上記粘着テープ等に止着されているため、貼着されたままの状態にしておくと、粘着剤の保護シートとして利用することができる。一方、一端部のみ貼着されているため、そのままでは邪魔になる。本請求項に記載した発明では、剥離紙の他端部を上記剥離紙保持手段に保持させることにより、使用済の剥離紙が邪魔にならないように保護シートとして利用するものである。次のシップ薬を貼着する場合は、上記前の剥離紙を除去して、次のシップ薬の剥離紙の端部を上記止着手段に貼着して、シップ薬を貼り付けることができる。
【００２２】
請求項６に記載した発明は、上記収納容器の上記開口部を設けた側と反対側に、上記収納容器を移動操作できる操作部を設けたものである。
【００２３】
上記操作部を設けることにより、上記収納容器を手指で確実に握持あるいは掛止して移動させることができる。
【００２４】
請求項７に記載した発明のように、上記操作部を上記収納容器と一体的に形成することができる。たとえば、袋状の収納容器を採用する場合は、上記袋の端部を延長することにより、上記操作部を設けることができる。また、上記袋を構成する部材で設けた上記操作部に、手指を掛止できる掛止穴を設けることもできる。
【００２５】
また、請求項８に記載した発明のように、上記操作部を、上記包装容器に着脱可能に装着することができる。
【００２６】
上記装着手法は特に限定されることはない。たとえば、両面粘着テープ等によって設けることもできるし、弾性クリップを利用することができる。
【００２７】
請求項９に記載した発明は、上記包装容器の表面に添着されるとともに、シップ薬の貼着時に上記包装容器又は／及びシップ薬をバックアップするバックアップ部を備えて構成したものである。
【００２８】
上記バックアップ部を設けることにより、包装容器を介してシップ薬に押圧力を作用させることができる。また、包装容器が袋状の場合、上記バックアップ部を設けることにより、包装容器が変形等することがなくなる。また、上記バックアップ部の一部を押圧することにより、上記シップ薬に押圧力を作用させることができるため、シップの貼り付け作業をより容易に行うことができる。
【００２９】
また、上記バックアップ部と上記操作部とを別体として構成することもできるし、バックアップ部の端部に上記操作部を一体的に設けることもできる。
【００３０】
請求項１０に記載した発明は、上記収納容器の上記開口部側から延出するとともに、上記操作部と共働して上記収納容器を保持し、及び移動操作できる補助操作部を設けたものである。
【００３１】
一方の手で上記操作部を握持し、他方の手で上記補助操作部を保持して、上記収納容器を移動させることができるため、取り扱い性がさらに向上する。また、背中中央部等の手がとどかない部位にシップを貼着することが容易となる。
【００３２】
請求項１１に記載した発明のように、上記補助操作部を、上記収納容器又は上記包装容器に対して着脱可能に設けることができる。上記着脱可能に設ける手法は、上記操作部と同様の手法を採用することができる。
【００３３】
請求項１２に記載した発明は、包装容器に収容されるとともに剥離紙を備えるシップ薬の貼着方法であって、上記包装容器の開口部から一のシップ薬の縁部を引き出し、引き出されたシップ薬を剥離紙とともに又は上記シップ薬の端部から剥離された剥離紙を、上記包装容器の開口縁部に沿って折り返すとともに、上記包装容器の縁部外側に設けた止着手段に止着し、剥離紙を剥離させた上記シップ薬の縁部を患部に貼着し、上記包装容器を移動操作することにより、上記剥離紙を剥離させるとともに上記シップ薬を患部に貼着するシップ薬の貼着方法に関する発明である。
【００３４】
請求項１３に記載した発明は、複数のシップ薬を収納できる内部空間と、上記内部空間から上記シップ薬を取り出せる開口部と、上記開口部に設けた封止手段と、上記開口部の外側縁部に設けられ、上記開口部から一部が引き出されたシップ薬の剥離紙を折り返し止着できる止着手段とを備えるシップ薬包装容器に関する発明である。
【００３５】
請求項１４に記載した発明は、上記請求項１４に記載したシップ薬包装容器において、上記開口部と反対側の縁部から延出する操作部を備えるものである。
【発明を実施するための最良の形態】
【００３６】
図１に、本願発明の第１の実施の形態に係るシップ薬貼り付け補助具１の全体斜視図、図２に側面図を示す。また、図３は、図１における III−III 線に沿う要部の断面図である。
【００３７】
本実施の形態は、シップ薬を収納する包装袋を収納容器として利用して、シップ貼り付け補助具１を構成したものである。上記包装袋２は、通常複数のシップ薬３を積層収納した状態で販売等されているものである。
【００３８】
上記包装袋２は、上下２枚のシート４，５の３方の縁部を溶着するとともに、一方に開口部６を設け、この開口部６に封止手段７として樹脂製の凸状７ａ及び凹状７ｂを設けたものである。図３に示すように、上記封止手段７は互いに嵌合させられて上記開口部６を封止し、シップ薬３の乾燥等を防止できる。
【００３９】
図２に示すように、上記包装袋２の上記開口部６の外側縁部に、一面を上記包装袋２に止着するとともに、他面に剥離紙８を貼着した両面粘着テープ９が設けられている。
【００４０】
以下、上記シップ貼り付け補助具１の使用方法を、図５から図９に基づいて説明する。
【００４１】
図４に示すように、上記封止手段７を構成する上記凸条７ａと上記凹条７ｂとの嵌合を解除して開口部６を開口し、図中下側の一のシップ薬３ａの端部を引き出す。
【００４２】
次に、図５に示すように、上記両面テープ９の剥離紙を除去する。そして、図６に示すように、上記シップ薬を剥離紙１０とともに折り返し状に曲折させて、上記剥離紙１０の端部外面を上記両面テープ９に貼着する。
【００４３】
そして、図７に示すように、上記シップ薬３ａを、上記両面テープ９に貼着された上記剥離紙１０から剥がすようにして、貼着面を露出させる。
【００４４】
上記の状態で、図８に示すように、上記剥離紙１０が除かれたシップ薬３の貼着面端部を患部１１に貼着して指等で押さえ、図９に示すように、上記包装袋２を移動させる。すると、上記シップ薬３ａの上記剥離紙１０が剥離させられるとともに、シップ薬３ａが露出させられ、患部１１に貼着されていく。上記剥離紙１０の全域を剥離させることにより、シップ薬３ａの貼着作業が終了する。
【００４５】
本実施の形態では、上記複数のシップ薬３を収納して販売される包装袋２に両面テープ９を貼着するだけで、シップ薬貼り付け補助具１を構成することができる。したがって、安価に構成できるばかりでなく、取り扱いも極めて容易である
【００４６】
図１０は、上記シップ薬の貼着作業が終了した後に、上記両面テープ９に一端が貼着されたシップ薬３ａの剥離紙１０の他端を、上記包装袋２の上側シート部材４の中央部に設けた剥離紙保持手段としての両面テープ１２に貼着した状態を示す。
【００４７】
シップ薬３ａの貼着が終了した状態では、シップ薬３ａに貼着されていた剥離紙１０の端部が開口縁部に設けた両面テープ９に貼着されている。本実施の形態では、上記包装袋２に収納された複数枚のシップ薬を貼り付けるために、上記剥離紙１０を、次にシップ薬を貼り付けるまでの上記両面粘着テープ９の粘着面保護材として利用するものである。
【００４８】
また、上記剥離紙１０は包装袋２の開口部６を覆うようにして配置されているため、邪魔になることもなく見栄えも良い。また、開口部６が不用意に開くのを防止する効果も期待できる。
【００４９】
図１１から図１３に本願発明の第２の実施の形態を示す。
【００５０】
この実施の形態は、シップ薬収納容器として第１の実施の形態と同様の包装袋２０２を採用するとともに、上記包装袋２０２の開口部２０６と反対側から延出する操作部２２１と、上記包装袋２０２の上部をバックアップするバックアップ部材２２２を設けたものである。
【００５１】
図１２及び図１３に示すように、上記バックアップ部材２２２は、上記包装袋２０２の上側シート２０４に設けた両面テープ２２３，２２４を介して、上記包装袋２０２の上側シート２０４に装着されている。一方、上記操作部２２１は、上記バックアップ部材２２２の端縁中央から一体的に延出するように形成されている。
【００５２】
上記構成のシップ貼り補助具２０１においては、上記操作部２２１を包装袋２０２の端部から延出させているため、手の届かない部位にシップ薬２０３ａを容易に貼着することができる。
【００５３】
しかも、上記バックアップ部材２２２を設けて上記包装袋２０４を補強ないし保形することができるため、包装袋２０２が折れ曲がることもなく、所望の部位にシップ薬２０３ａを貼着することが可能となる。
【００５４】
図１４に、本願発明の第３の実施の形態を示す。
【００５５】
この実施の形態では、請求項１に記載した発明と同様の包装袋３０２の開口部３０６と反対側を延長し、手指を掛止あるいは手指で握持できる開口３２５を設けた操作部３２１を形成したものである。なお、上記包装袋３０２の上側中央部に設けているのは、シップ薬３０３ａの剥離紙３１０の端部を止着する剥離紙保持手段としての両面粘着テープ３１２であり、図９において符号１２で示す両面粘着テープに相当するものである。
【００５６】
上記操作部３２１は、上記包装袋３０２を製造する際に同時に形成することができるため、製造工程等が増加することもほとんどない。また、上記包装袋３０２を構成する上下のシート材で形成できるため、操作部３２１を構成するための別部材を要することもない。このため、非常に安価に操作部３２１を構成できる。
【００５７】
図１５に、本願発明の第４の実施の形態を示す。
【００５８】
これらの図に示すシップ貼り付け補助具４０１は、開口部４０６と反対側に設けた操作部４２１とほぼ同一の補助操作部４３１を、開口部４０６側に設けたものである。
【００５９】
上記保補助操作部４３１は、包装袋４０２を構成するシート状部材の開口部４０６側の両側部から延出するとともに、手指を掛止できるあるいは握持できる開口４３２を備えて構成されている。
【００６０】
上記包装袋４０２の両側に操作部４２１と補助操作部４３１とを設けることにより、上記両操作部４２１，４３１をそれぞれの手で握持してシップ貼り作業を行うことができるため、操作性がより向上させられる。
【００６１】
本願発明は上述の実施の形態に限定されることはない。
【００６２】
実施の形態では、袋状の包装袋を採用したが、箱状の包装袋を採用することができる。
【００６３】
また、実施の形態では、操作部及びバックアップ部材を、包装袋の片面に貼着することにより一体化したが、他の手法によって装着することもできる。
【００６４】
また、図６において、シップ薬３ａを剥離紙１０とともに、折り返し状に上記両面テープ９に貼着したが、剥離紙１０をシップ薬３ａから剥がした後に両面テープ９に貼着してもよい。
【００６５】
また、図７及び図８において、シップ薬３ａを剥離紙から離脱させた後に患部に貼着するように用いたが、図６に示す状態でシップ薬３ａの貼着面と反対側を患部にあてがって圧迫した状態で、包装袋２を移動させると、摩擦力によってシップ薬３ａの端縁から剥離紙９から自動的に剥がされる。このようにして用いると、シップ薬３ａの貼着面に触れることがないため、シップ薬３ａが手指に付着することはない。また、シップ薬の端部が上記両面テープを介して包装袋２に保持した状態から貼り付けを開始できるため、シップ薬３ａが変形して不測の部位にシップ薬が貼着されるということもなくなる。
【図面の簡単な説明】
【００６６】
【図１】本願発明に係るシップ貼り補助具の第１の実施の形態を示す斜視図である。
【図２】図１に示すシップ貼り補助具の側面図である。
【図３】図１における III−III 線に沿う要部の断面図である。
【図４】図１に示すシップ貼り補助具の使用方法を説明する要部の断面図である。
【図５】図１に示すシップ貼り補助具の使用方法を説明する要部の断面図である。
【図６】図１に示すシップ貼り補助具の使用方法を説明する要部の断面図である。
【図７】図１に示すシップ貼り補助具の使用方法を説明する要部の断面図である。
【図８】図１に示すシップ貼り補助具の使用方法を説明する要部の断面図である。
【図９】図１に示すシップ貼り補助具の使用方法を説明する要部の断面図である。
【図１０】シップから剥離された剥離紙を保持した状態を示す側面図である。
【図１１】本願発明に係るシップ貼り補助具の第２の実施の形態を示す斜視図である。
【図１２】図１０に示すシップ貼り補助具の平面図である。
【図１３】図１０に示すシップ貼り補助具の側面図である。
【図１４】本願発明に係るシップ貼り補助具の第３の実施の形態を示す斜視図である。
【図１５】本願発明に係るシップ貼り補助具の第４の実施の形態を示す斜視図である。
【符号の説明】
【００６７】
１０  剥離紙
３ａ  シップ薬
１    シップ薬貼り付け補助具
６    開口部
２    包装袋（収納容器）
７ａ  封止手段
７ｂ  封止手段
９    両面テープ（止着手段）
【図１】
2008104542.tif 000003
【図２】
2008104542.tif 000004
【図３】
2008104542.tif 000005
【図４】
2008104542.tif 000006
【図５】
2008104542.tif 000007
【図６】
2008104542.tif 000008
【図７】
2008104542.tif 000009
【図８】
2008104542.tif 000010
【図９】
2008104542.tif 000011
【図１０】
2008104542.tif 000012
【図１１】
2008104542.tif 000013
【図１２】
2008104542.tif 000014
【図１３】
2008104542.tif 000015
【図１４】
2008104542.tif 000016
【図１５】
2008104542.tif 000017